(57)【要約】      （修正有）【課題】煩雑な作業もなく簡易にピットに出入りできるエレベータのピット出入り用装置を得る。【解決手段】足場台７は、２枚の踏み板８，９を有し、乗り場４の出入り口に対応する位置で、ピット３の乗り場側の側壁に沿わせてピット３内に設置され、乗り場床面４ａ、踏み板８，９およびピット床面３ａからなる階段を構成する。一対の切り欠きが、つま先保護板５の幅方向の両側位置で、つま先保護板５の下端から鉛直上方に延設されている。そして、細長の開口部１０が、かご１が最下位階の乗り場４に着床した際に、つま先保護板５の一対の切り欠きに挟まれた部位が挿入され、かつ、開口部１０の長手方向の外側の部位が各切り欠きに挿入されるように、ピット３の乗り場４側の側壁に近接する踏み板８に穿設されている。【選択図】図１
2006206272.tif 000002
【特許請求の範囲】
【請求項１】
少なくとも１枚の踏み板を有し、最下位階の乗り場の出入り口に対応する位置で、ピットの乗り場側の側壁に沿わせて該ピット内に設置され、該最下位階の乗り場床面、該踏み板および該ピット床面からなる階段を構成する足場台と、
かご敷居に垂下状態に取り付けられたつま先保護板と、を備え、
一対の切り欠きが、上記つま先保護板の幅方向の両側位置で、該つま先保護板の下端から鉛直上方に延設され、
細長の開口部が、かごが上記最下位階の乗り場に着床した際に、上記つま先保護板の上記一対の切り欠きに挟まれた部位が挿入され、かつ、該開口部の長手方向の外側の部位が上記切り欠きに挿入されるように、上記ピットの乗り場側の側壁に近接する上記踏み板に穿設されていることを特徴とするエレベータのピット出入り用装置。
【発明の詳細な説明】
【技術分野】
【０００１】
この発明は、エレベータのピット内の保守点検作業時に保守員が出入りするピット出入り用装置に関するものである。
【背景技術】
【０００２】
従来のエレベータのピット出入り用装置では、梯子がピットの乗り場側の側壁部に近接してほぼ鉛直状態に設置され、把持部材が乗り場ドアのピット側裏面に取り付けられている（例えば、特許文献１参照）。
そして、保守員は、乗り場ドアを開けて出入り口開口部を形成し、その出入り口開口部から把持部材を手掛かりとして梯子に足をかけ、ピット内に降りてゆく。そこで、保守員は、ピット内に設置されている各機器の保守点検を行うことになる。
しかし、梯子は、かごの敷居から垂下状態に設置されているつま先保護板との干渉を避けるために、ピットの乗り場側の側壁部に近接してほぼ鉛直状態に取り付けられている。そこで、保守員は、後ろ向きの姿勢で、つまりピット側に背を向けた姿勢で、保持部材を手掛かりとして鉛直状態に設置されている梯子を降りることになるので、保守員のピット内への降りる動作が不安定なものとなってしまう。
【０００３】
このような状況を鑑み、スライド式の梯子を縮めた状態でピットの乗り場側の側壁部に近接してほぼ鉛直状態に着脱自在に取り付けておき、保守点検時には、梯子を乗り場に引き上げ、梯子を伸ばして乗り場敷居とピット床面との間に傾斜するように立て掛け、保守員がその梯子を用いてピッチ内に降りてゆくエレベータの保守点検方法が提案されている（例えば、特許文献２参照）。
【０００４】
【特許文献１】実開平６−３７２６１号公報
【特許文献２】特開２００２−２９３４８６号公報
【発明の開示】
【発明が解決しようとする課題】
【０００５】
従来のピット出入り用装置では、保守員は、後ろ向きの姿勢で、保持部材を手掛かりとして鉛直状態に設置されている梯子を降りることになるので、保守員のピット内への降りる動作が不安定なものとなってしまうという課題があった。
また、従来のエレベータの保守点検方法では、保守点検の開始時には、梯子をピット内から乗り場に引き上げ、梯子を伸ばして乗り場敷居とピット床面との間に立て掛け、保守点検の終了時には、立て掛けられている梯子を乗り場に引き上げ、縮めて、乗り場からピットの側壁部に取り付ける、という極めて煩雑な作業が保守点検の度に必要となってしまうという課題があった。
【０００６】
この発明は、上記課題を解決するためになされたもので、踏み板を階段状に組み付けた足場台をピット内に設置し、かつ、かご敷居から垂下状態に設置されているつま先保護板と踏み台とを互いに干渉しないような形状に構成し、保守員が、煩雑な作業もなく、簡易にピットに出入りできるエレベータのピット出入り用装置を得ることを目的とする。
【課題を解決するための手段】
【０００７】
この発明によるエレベータのピット出入り用装置は、少なくとも１枚の踏み板を有し、最下位階の乗り場の出入り口に対応する位置で、ピットの乗り場側の側壁に沿わせて該ピット内に設置され、該最下位階の乗り場床面、該踏み板および該ピット床面からなる階段を構成する足場台と、かご敷居に垂下状態に取り付けられたつま先保護板と、を備え、一対の切り欠きが、上記つま先保護板の幅方向の両側位置で、該つま先保護板の下端から鉛直上方に延設され、細長の開口部が、かごが上記最下位階の乗り場に着床した際に、上記つま先保護板の上記一対の切り欠きに挟まれた部位が挿入され、かつ、該開口部の長手方向の外側の部位が上記切り欠きに挿入されるように、上記ピットの乗り場側の側壁に近接する上記踏み板に穿設されているものである。
【発明の効果】
【０００８】
この発明によれば、エレベータの通常運転時におけるつま先保護板と踏み板との干渉（衝突）が回避されるので、足場台をピット内に常設することができる。そして、保守検時には、保守員は、最下位階の乗り場床面、踏み板およびピット床面からなる階段を利用して、煩雑な作業もなく、簡易にピットに出入りできる。
【発明を実施するための最良の形態】
【０００９】
以下、本願の実施例を図面に基づいて説明する。
図１はこの発明の一実施例に係るピット出入り用装置を適用したエレベータにおけるかごが最下位階に着床した状態を模式的に示す断面図、図２はこの発明の一実施例に係るピット出入り用装置の構成を模式的に示す斜視図である。
【００１０】
各図において、かご１が昇降路内に昇降自在に配設され、緩衝器２が昇降路の底部であるピット３の床面に設置されている。そして、つま先保護板５が、かご１の敷居から垂下状態に設置され、保守員がピット３に出入りするための足場台７がピット３内に設置されている。ここで、つま先保護板５および足場台７がピット出入り用装置を構成している。
【００１１】
つま先保護板５は、例えば鋼板からなる矩形平板状に成形されており、かご１の敷居から垂下され、昇降路の乗り場４側の側壁面と相対している。そして、一対の切り欠き６が、つま先保護板５の幅方向に所定距離離れて、それぞれつま先保護板５の下端から鉛直上方に延設されている。これにより、つま先保護板５の下端側は、一対の切り欠き６に挟まれた舌片５ａと、各切り欠き６の外側の側片５ｂとに３分割されている。
足場台７は、例えば鋼板で作製された第１および第２踏み板８，９を脚柱１１を用いて階段状に組み上げて構成されている。そして、足場台７は、第１踏み板８を乗り場４の出入り口に対応する位置で、ピット３の乗り場４側の側壁に近接させてピット３の床面に固定状態に取り付けられている。これにより、最下位階の乗り場４の床面４ａから第１踏み板８、第２踏み板９およびピット３の床面３ａへと徐々にピット３の中央側にシフトする階段が構成される。また、細長の開口部１０が開口の長手方向を乗り場４の出入り口の幅方向に一致させて、第１踏み板８に穿設されている。
【００１２】
ここで、つま先保護板５は、一般に、約０．８ｍの垂下長さを有していることから、ピット３の乗り場４側の壁面側に位置する足場台７の第１踏み板８は、かご１が最下位階に着床した際に、つま先保護板５と衝突する場所に位置している。そこで、開口部１０は、かご１が最下位階に着床した際に、つま先保護板５の舌片５ａが挿通される位置および形状に形成されている。また、切り欠き６は、かご１が最下位階に着床した際に、第１踏み板８の開口部１０の両側の部位が挿入される位置および形状に形成されている。
【００１３】
このように構成されたピット出入り用装置を適用したエレベータでは、かご１が最下位階に着床すると、舌片５ａが開口部１０内に挿入され、第１踏み板８の開口部１０の両側の部位が、各切り欠き６内に挿入され、通常運転時におけるつま先保護板５と足場台７との衝突が回避される。
そして、保守点検時には、かご１を最下位階から離して停止させる。そして、保守員は、乗り場４の床面４ａ、第１踏み板８、第２踏み板９およびピット３の床面３ａからなる階段を降りてピット３内に入り、ピット３内に設置されている機器の保守点検作用を行うことができる。また、保守点検が終了すれば、保守員は、ピット３から第２踏み板９、第１踏み板８および乗り場４へと登ってゆき、ピット３から出ることができる。
【００１４】
このように、この発明によれば、かご１が最下位階に着床時に、つま先保護板５の舌片５ａが挿入される開口部１０を第１踏み板８に穿設し、かつ、第１踏み板８の開口部１０の両側の部位が挿入される切り欠き６をつま先保護板５に形成しているので、つま先保護板５と第１踏み板８との干渉（衝突）が回避され、第１および第２踏み板８，９を脚柱１１を用いて階段状に組み付けた足場台７をピット３内に常設できる。これにより、保守員は、保守点検時に、乗り場４の床面４ａ、第１踏み板８、第２踏み板９およびピット３の床面３ａからなる階段を降りてピット３内に入って保守点検を行い、保守点検が終了すれば、該階段を登ってピット３からでることができる。
そこで、保守点検時に、縮められた梯子をピット３内から乗り場４に引き上げ、梯子を伸ばして乗り場４の敷居とピット３の床面３ａとの間に立て掛け、さらには、立て掛けられている梯子を乗り場４に引き上げ、縮めて、乗り場４からピット３の側壁部に取り付けるような煩雑さ作業は必要なくなり、保守点検の作業性が向上される。
また、後ろ向きの姿勢で、つまりピット３側に背を向けた姿勢で、保持部材を手掛かりとしてピット３の側壁に近接して鉛直状態に取り付けられている梯子を降りることもなく、簡易にピット３内に降りることができる。
【００１５】
なお、上記実施例では、２枚の踏み板を階段状に組み上げて足場台を構成するものとしているが、踏み板の枚数は２枚に限定されるものではなく、ピットの深さに合わせて適宜設定すればよい。つまり、ピットの深さが例えば１．５ｍであれば、２枚の踏み板を用いて、ステップ高さが５０ｃｍの足場台を作製すればよい。また、ピットの深さが例えば１．２ｍであれば、２枚の踏み板を用いて、ステップ高さが４０ｃｍの足場台を作製してもよいし、１枚の踏み板を用いて、ステップ高さが６０ｃｍの足場台を作製してもよい。
【図面の簡単な説明】
【００１６】
【図１】この発明の一実施例に係るピット出入り用装置を適用したエレベータにおけるかごが最下位階に着床した状態を模式的に示す断面図である。
【図２】この発明の一実施例に係るピット出入り用装置の構成を模式的に示す斜視図である。
【符号の説明】
【００１７】
１  かご、３  ピット、３ａ  床面、４  乗り場、４ａ  床面、５  つま先保護板、５ａ  舌片、６  切り欠き、７  足場台、８  第１踏み板、９  第２踏み板、１０  開口部、１１  脚柱。
【図１】
2006206272.tif 000003
【図２】
2006206272.tif 000004